(57)【要約】      （修正有）【課題】便利、安全な、快適な入浴が出来る椅子式風呂を提供する。【解決手段】椅子の周りに囲いを設けて、液体、固体、気体をためる事が出来る椅子式風呂であり、椅子に腰かけたまま洗う事が出来、椅子に腰かけたまま身体を流す事も出来、椅子の周りを囲みお湯を貯める事が出来る様にする該お湯を逃がさない様にして、身体をお湯に浸かる、温める事が出来、椅子に腰かけたままで入浴する事が出来る。又入浴時後のお湯を抜くことも出来る。又該入浴時のお湯の量は適宜適切に管理、設定する事が出来る。【選択図】図１
2017012705.tif 000002
【特許請求の範囲】
【請求項１】
椅子の周りに囲いを設けて、気体、液体、固体を溜める事が出来る特徴を有する椅子式風呂。
【請求項２】
椅子式風呂に於いて、該椅子の形状、構造、形態又は機能の変化を設けられる事が出来る特徴の椅子式風呂。
【請求項３】
請求書１、請求項２の少なくても何れか１つに記載の椅子式風呂に於いて、該椅子式風呂に気体、液体、固体の流動、温度の機能を設けられた事を特徴とする椅子式風呂。
【発明の詳細な説明】
【技術分野】
【０００１】
本発明は、椅子式風呂に関する。
【背景技術】
【０００２】
現在、風呂に関する物の発明、発売されているが、該風呂に於いては、風呂の入浴時の便利さ（入りやすさ）、美観等を重きにおき為されている。しかし該従来通りの風呂の使用時、該入浴中、前、後において、事故（死ぬ事もふくむ）が多発している。（現在は高齢者、身体支障者が多くなっている故に）
【０００３】
この様な、該欠点等が発生する場合の対策が取られて無かった。よって該欠く欠点があった。
【０００４】
そこで、今までにない画期的なものとして為す、使用時における対策となす物品の発明をした。
【先行技術文献】
【特許文献】
【０００５】
【特許文献１】特開２０００-１９７５３９号公報
【特許文献２】特開２０００-０７００６８号公報
【発明の概要】
【発明が解決しようとする課題】
【０００６】
本発明は、以上のような従来の欠点にかんがみ、該対策として、現在は高齢者、身体支障者が多くなっている故に、入浴時、前、中、後において事故（死ぬ事もふくむ）が多発しているので、全く新しい画期的な発明なものとして為す該発明をした椅子式風呂を提供する事を目的としている。
【０００７】
請求項１  椅子の周りに囲いを設けて、気体、液体、固体を溜める事が出来る特徴を有する椅子式風呂。
請求項２  椅子式風呂に於いて、該椅子の形状、構造、形態又は機能の変化を設けられる事が出来る特徴の椅子式風呂。
請求項３  請求書１、請求項２の少なくても何れか１つに記載の椅子式風呂に於いて、該椅子式風呂に気体、液体、固体の流動、温度の機能を設けられた事を特徴とする椅子式風呂。
【課題を解決するための手段】
【０００８】
上記目的を達成するために、本発明は、請求項１の構成要件とで構成している。
請求項１は、椅子の周りに囲いを設けて、気体、液体、固体を溜める事が出来る特徴を有する椅子式風呂。該椅子式風呂は、（従来のお風呂は、浴槽があり、該浴槽を股いて入り、身体を湯に沈め入浴し、又股いて身体を動かして浴槽から出る風呂である。）（本発明に於いてここでの説明は背もたれのある椅子を指す）椅子に腰かけたまま洗う事も出来る。又椅子に腰かけたまま身体を流す事も出来る。又、椅子の周りを囲みお湯を貯溜める事が出来る様にする椅子式風呂である。該椅子式風呂はお湯を逃がさない様にして、身体をお湯に浸かる事が出来る、該機能構造を設けた事により、椅子に腰かけたままで入浴する事も出来る。又入浴時のお湯を抜くことも出来る。該入浴時のお湯の量は適宜適切に管理、設定する事が出来る。よって、従来のお風呂は、浴槽を股いて入り、身体を湯に沈め入浴し、又股いて身体を動かして浴槽から出る行為が無いので、お湯に対する事故（脳溢血、脳梗塞、湯に溺れる、踏み外し、つまずき、等又は該から為す怪我、死）が発する可能性はない、故に安全対策、便利さにたける入浴機能構造をもつ椅子式風呂である。該椅子の後部の背もたれのある部分は湯が張れる必要な高さがある、又（横面）肘のある横部分に於いても同じく湯が張れる高さがある椅子式風呂である。又椅子の前側足の方は（お湯を包み込む、逃がさない）お湯を貯める高さがある等の形状、構造、形態又は機能（囲む）を為す椅子式風呂。又よって座れない人、腰を下ろせない人は、腰掛けて入浴が出来る。椅子の周りに囲いを（椅子に腰かけて背もたれが少なくても肩まである椅子、理想として頭が保護されているまである椅子）設けて、気体（サウナ風呂付き使用されている優しい乾いた管理された気体）、液体（湯、水）、固体（健康品柚子、入浴材等）をためる事が出来る特徴を有する椅子式風呂である。
【０００９】
上記目的を達成するために、本発明は、請求項２の構成要件とで椅子式風呂を構成している。
請求項２は、椅子式風呂に於いて、該椅子の形状、構造、形態又は機能の変化を設けられる事が出来る特徴の椅子式風呂。
椅子式風呂に於いて、前記記載の該椅子の後部の背もたれのある部分まで湯が張れる高さがある、又（横面）肘のある横部分に於いても同じく湯が張れる高さがある椅子式風呂、又椅子の前側足の方は（お湯を包み込む、逃がさない）お湯をためる高さがある形状、構造、形態又は機能（囲む）を為す椅式風呂である。該湯をためる事が出来る、形状、構造、形態又は機能（囲む）において、該椅子の周りの囲みの仕方の変化について、該形状、構造、形態を折り畳み、重ねる、開く、引き出す、取り出し、取り入れ、取付け、刻む、かみ合い、組み合わせ、U字型を持つ継ぎ目に逆U字を持つ形状をはめ込む（継ぎ目、取付け部から水が漏れない構成方法）等その他種々の形状、構造、形態等を行ない、お湯を貯める、調整、流動制限、深さ、量、高さ等その他種々使用、利用の事が出来る様にして椅子の周りを囲みお湯を逃がさない様にして成り立たせる該椅子の形状、構造、形態又は機能の変化が設けられた事を特徴とする椅子式風呂である。
【００１０】
又、椅子に座る（腰掛ける）平たんな所に横型に山形溝型を交互に用い（お尻に当たる部分の感触を良いもののデザイン形状にする）該溝の部分にお湯が走る様（片側又は両端の端に流れを流す形状）にする。そして前記載該椅子に座る平たんな所の周りの該周隅又は片隅にお湯流れ集める溝を形成構成して、（該平たんに角度を持つ横型に山形溝型を交互に持つ該溝に走るお湯を該溝に合流させる）該周隅又は片隅の溝に集めたお湯を該椅子に座る平たんな所の前部分に流れる様に下流動の角度を持ち流し、更に該お湯を足の元に下流動する形状にて該お湯を捨てる事が出来る構造。又、椅子に座る平たんな所に横型に山形溝型を交互に用いた部分の形状を椅子の後部を低くして前側足元側を高くする形状は腰掛けた時身体が椅子よりずり落ちない様にするため、又身体が後部のもたれ部分に馴染むよう、もたれ掛れるに出来る形状、構造、形態、機能等の種々雑多の変化を成す椅子式風呂である。（お尻に当たる部分の感触を良いもののデザイン形状にする）
【００１１】
故に、形状、構造、形態又は機能の変化を必要とする種々雑多に設けて適宜適切なもの為す、変化が設けられた事を特徴とする椅子式風呂。
又、お湯が張れる椅子式風呂（背もたれのある）の足元まで囲った椅子式風呂を椅子式風呂ごと斜めに倒して又は横に倒して又は椅子式風呂の背もたれのみを倒す等の該椅子式風呂の構造、形態の変化を起こす（背もたれのみを又は椅子式風呂全体を横又は斜めに、かたむける等を優しく該倒す機能は段々式にて徐々に倒す構造、機能である。該構造機能変化においてリクライニング機能、シーソー機能等の構造変化を設けた時その支点においては
該支点を足、腰掛ける、背頭に拵え持った事により該支点の移動による構造変化機能変化にて安心、安定を為らしめる椅子式風呂である。又上記記載の形状並びに構造形態形状機能の変化を該椅子の倒す、伸ばす，引っ込める、継ぎ足す等種々の方法仕方を手動操作によるもの、エ−ア−によるもの、油圧装置のシリンダ−によるもの、モ−タ−等電動によるもので操作することによって機能する仕方）事によって、お湯が平均的に身体の肩の方迄流れるので少ないお湯で身体全体を該お湯で包む、該形状、構造、形態又は機能の変化を為す安定、安全な椅子式風呂とする。
【００１２】
上記目的を達成するために、本発明は、請求項３の構成要件とで椅子式風呂を構成している。
請求項３の発明は、請求書１、請求項２の少なくても何れか１つに記載の椅子式風呂に於いて、該椅子式風呂に気体、液体、固体の流動、温度の機能を設ける事を特徴とする椅子式風呂。該椅子式風呂は該椅子式風呂にお湯の流動、流す、流れる、お湯を溜める該お湯の温度の機能（温かい、ぬるい、高、低等）を設け、該調整機能、変化機能等を設けて安定、安全な、好みのお湯とする椅子式風呂である、該機能をボタン操作で行うことも出来る。又該お湯（液体、固体、又はサウナ風呂の様な身体に優しい気体等）の流出、溜める事が出来る、該お湯が出る蛇口が有り、流動する機能等もがある。又、該椅子風呂の側面、彼方此方にお湯の噴き出口（シャワー口）及び流動し該お湯を廻す機能等を設けてマッサ−ジ機能とする流動機能を設けて、健康に寄与する椅子式風呂とする。又溜めたお湯の排出口、流し口を設けた。又該お湯を流動させたお湯を椅子式風呂の外部へ捨てる事も出来得る機能を設ける事を特徴とする椅子式風呂である。
【発明の効果】
【００１３】
以上の説明から明らかのように、本発明にあっては次に列挙する効果が得られる。
【００１４】
請求項１の発明は、椅子の周りに囲いを設けて、液体、固体、気体をためる事が出来る特徴を有する椅子式風呂の構成要件とで構成されているので、つまり椅子の周りに囲いを設けて、適宜適切な量の気体、液体、固体を貯める事が出来る形状、構造、形態の特徴を有する椅子式風呂で構成されているので、該椅子式風呂（例として、此処では背もたれのある椅子として説明する）は、次のことが出来る便利、安全な、快適な入浴が出来る。例として先ず椅子に腰かけたまま洗う事も出来る。又椅子に腰かけたまま身体を流す事も出来る。又、椅子の周りを囲みお湯を貯める事が出来る様にする該お湯を逃がさない様にして、身体をお湯に浸かる、温める事が出来る、該機能構造を設けた事により、椅子に腰かけたままで入浴する事が出来る。又入浴時後のお湯を抜くことも出来る。又該入浴時のお湯の量は適宜適切に管理、設定する事が出来る。よって、お湯に対する事故（脳溢血、脳梗塞、湯に溺れる、踏み外し、つまずき、等又は該から為す怪我、死）が発する可能性は無い、又座れない人、腰を下ろせない人は、腰掛けて入浴が出来る効果をも得られる。又椅子式風呂を掃除洗う際傾斜等構造にて、しゃがまない座らない、椅子の横からでも楽に簡易に掃除洗う事が出来る効果をも得られる。
【００１５】
請求項２の発明は、椅子式風呂に於いて、該椅子の形状、構造、形態又は機能の変化を設けられる事が出来る特徴の椅子式風呂。
該椅子の形状、構造、形態又は機能の変化が設けられた事を特徴とする椅子式風呂の構成要件とで構成されているので、該変化を以て、形状、構造、形態又は機能を好みに応じた、必要に応じた入浴の仕方に色々とそれらを変え、入浴の便利、安全な、楽しむ、椅子式浴槽風呂として使用する。又形状、構造、形態又は機能の変化をボタン操作にて簡単に行える物とする椅子式風呂である。又従って、身体に支障を持つ者、高齢者、座れない人、腰を下ろせない人等は、腰掛けて入浴が出来る安心なゆとりを以て快適な入浴が出来る効果をも得られる。
【００１６】
請求項３の発明は、請求書１、請求項２の少なくても何れか１つに記載の椅子式風呂に於いて、該椅子風呂に液体、固体の流動、温度の機能を設ける事を特徴とする椅子式風呂の構成要件とで構成されているので、該椅子風呂にお湯を入れる、溜める、該適温、適切流れ（健康マッサ−ジ機能等）を有する機能を以て必要に応じた構造、機能とする該設定をする。必要に応じた方法、構造（機能構造変化をも設置できるも可）の浴槽にお湯を注ぐ、温度管理、身体にそそぐ等流れの機能を種々雑多に設ける事によってお湯の温度管理、流動機能を高め安心、安全性を為す、心地良い快適な入浴時の設定事が出来る効果を得られる。
【図面の簡単な説明】
【００１７】
【図１】本発明の外観の実施例１を示す斜視図
【図２】本発明の外観の実施例２を示す斜視図
【図３】本発明の実施例３を示す構造図
【図４】本発明の実施例４を示す構造図
【図５】本発明の実施例５を示す構造図
【図６】本発明の実施例６を示す構造図
【図７】本発明の使用例の実施例７を示す図
【図８】本発明の使用例の実施例８を示す図
【図９】本発明の外観の実施例９を示す斜視図
【図１０】本発明の外観の実施例１０を示す斜視図
【図１１】本発明の外観の実施例１１を示す斜視図機構を示す断面図
【発明を実施するための形態】
【００１８】
以下、本発明の実施の形態を図に基づいて説明する。
なお、各実施の形態を通じ、同一の部材、要素または、部品、部分には同一の符号を付して、其の説明を省略する場合もある。
【実施例１】
【００１９】
図１は、本発明の実施例１の機構を示す断面図であって、背もたれのある椅子に上部に頭もたれがある該突出して設定している部分をもち、該椅子に腰掛ける部分を設定する、該下部に椅子を支える足を持つ、又椅子に腰掛ける部分を持つ該前下の方に人の足を置き支える足置場がある。該椅子の両横、前、後ろ、下部、上部は肩まで高さまでを、該全体を（椅子全体の周り）囲いを設けて、液体、固体、気体を溜める事が出来る特徴を有する椅子の椅子式風呂を構成した。実施例１は請求項１の構成要件の機構を示す断面図である。
【実施例２】
【００２０】
図２は、本発明の実施例２の機構を示す断面図であって、  図２は、本発明の実施例１の機構を示す断面図における、該図の背を垂れ部分を後ろに倒して身体を寝かす構造形態に変化させる。又この時、後ろに倒して寝かした背と両横側の肘掛け部分の間に空間ができる。該空間の部分をつなぎ止めて、背と両横側の肘掛け部分を橋渡しして一体とする。該空間を囲い込んだ一体化形状とする形状の変化の構成、機能の方法仕方は、該両横側の肘掛け部分に重ね入れ込み仕舞い込んでいる板状とした部分がある。該板状部分は背もたれに附随する形状とつながり一体化している。該一体化している板状は、背もたれが倒れると付いて引き出され広がって該空間を大きくする。よって変形形状する該椅子の全体の周りを囲うので、該椅子の形状、構造、形態、機能の変化が設けられる事で液体、固体、気体を貯める事が出来る椅子式風呂で、該変化を為した椅子式風呂で身体をたおしてお湯に沈めて心地良い安定した入浴をすることができる特徴を有する椅子の椅子式風呂を構成した。該椅子の形状、構造、形態、機能の変化が設けられる事の該変化方法仕方は種々雑多にあるがその一例として実施例３以降実施例４実施例５実施例６に挙げる。実施例２は請求項１、２の構成要件の機構を示す断面図である。
【実施例３】
【００２１】
図３は、本発明の実施例３の機構を示す断面図であって、  図３は、本発明の実施例１の機構を示す断面図における、該図の背を垂れ部分を後ろに倒して身体を寝かす構造形態に変化させる。該板状部分は背もたれに附随する形状とつながり一体化している。該一体化している板状は、背もたれが倒れると付いて引き出され広がって該空間を大きくする。よって変形形状する該椅子の全体の周りを囲うので、該椅子の形状、構造、形態、機能の変化が設けられる事の該変化方法仕方は種々雑多にある。又その位置、場所、高低、工程、等の在り場所も種々雑多にある。よって何処にでも使用、方法仕方が出来るその一例としてあげる。設定したい空間を繋ぎたい部分を該一体化させる板状の用い方で、該板状を上下、縦方向に重ね合わせる、引っ込める等して設定している該板状を上下、縦方向に取り出す、引き出す、伸ばす、継ぎ足す事する機能の変化を為して形状、構造、形態の変化を起こして、好みの形状構造変化を設けるその一部分の図で重ね合わせた２枚の板状を上下に引き出して大きくする形状構造変化である。実施例３は請求項１、２の構成要件の機構の一部分を示す断面図である。
【実施例４】
【００２２】
図４は、本発明の実施例４の機構を示す断面図であって、  図４は、本発明の実施例１の機構を示す断面図における、該図の背を垂れ部分を後ろに倒して身体を寝かす構造形態に変化させる。該板状部分は背もたれに附随する形状とつながり一体化している。該一体化している板状は、背もたれが倒れると付いて引き出され広がって該空間を大きくする。よって変形形状する該椅子の全体の周りを囲うので、該椅子の形状、構造、形態、機能の変化が設けられる事の該変化方法仕方は種々雑多にある。又その位置、場所、高低、工程、等の在り場所も種々雑多にある。よって何処にでも使用、方法仕方が出来るその一例としてあげる。設定したい空間を繋ぎたい部分を一体化させる該板状の用い方で、該板状を横方向に重ね合わせる、引っ込める等して設定している該板状を横方向に取り出す、引き出す、伸ばす、継ぎ足す事する機能の変化を為して形状、構造、形態の変化を起こして、必要とする、好みの形状構造変化を設けるその一部分の図で、重ね合わせた２枚の板状を横に引き出して大きくする形状構造変化である。実施例４は請求項１、２の構成要件の機構の一部分を示す断面図である。
【実施例５】
【００２３】
図５は、本発明の実施例５の機構を示す断面図であって、実施例５は請求項１、２の構成要件の機構を示す断面図である。該板状部分は背もたれに附随する形状とつながり一体化している。該一体化している板状は、背もたれが倒れると付いて引き出され広がって該空間を大きくする。よって変形形状する該椅子の全体の周りを囲うので、該椅子の形状、構造、形態、機能の変化が設けられる事の該変化方法仕方は種々雑多にある。又その位置、場所、高低、工程、等の在り場所も種々雑多にある。よって何処にでも使用、方法仕方が出来るその一例としてあげる。設定したい空間を繋ぎたい部分を一体化させる該板状の用い方で、該板状を横方向、又は上下に重ね合わせる、折りたたむ等して設定している該板状を横方向又は上下に取り出す、引き出す、伸ばす、継ぎ足す事する機能の変化を為して形状、構造、形態の変化を起こして、好みの形状構造変化を設けるその一部分を示した図で、重なられた板状の内一枚を離し開いて使用する形状構造に変化して為す。
【実施例６】
【００２４】
図６は、本発明の実施例６の機構を示す断面図であって、実施例６は請求項１、２の構成要件の機構を示す断面図である。
該板状部分は背もたれに附随する形状とつながり一体化している。該一体化している板状は、背もたれが倒れると付いて引き出され広がって該空間を大きくする。よって変形形状する該椅子の全体の周りを囲うので、該椅子の形状、構造、形態、機能の変化が設けられる事の該変化方法仕方は種々雑多にある。又その位置、場所、高低、工程、等の在り場所も種々雑多にある。よって何処にでも使用、方法仕方が出来るその一例としてあげる。設定したい空間を繋ぎたい部分を一体化させる該板状の用い方で、該板状を横方向に重ね合わせる、引っ込める等して設定している該板状を横方向に取り出す、引き出す、伸ばす、継ぎ足す事する機能の変化を為して形状、構造、形態の変化を起こして、好みの形状構造変化を設ける。そこでその一部分を示した図で、板状の継ぎ目の間に液体の漏れが生じる場合が有る時の構造機能の変化をなして漏れを無くする該形状、構造、形態の構成を示す。一枚の板状の該板状の端の片方全体に形状Ｕを設定する。又別の板状一枚のもう一方の端に片方全体にＬ型形状を設定する。該Ｕ形状部分に該Ｌ型形状をはめ込んで２枚の板状を一枚の板としてつないで大きくする該構造形態である。該形状、構造、形態に於いては、Ｌ型形状の設定Ｌ形状を該Ｕ形状部分に関与はめ込む構成は、板状の継ぎ目の間に液体の漏れが生じない構造機能の変化をなして漏れを無くする事が出来る。又Ｕ形状と下向きＬ形状挿入関与部分は密着させると、なお良い。
【実施例７】
【００２５】
図７は、本発明の実施例７の機構を示す断面図であって、  図７は、該椅の腰掛けの後部には背もたれのある部分があり、該高さがある程度まである、又足元には足を置く部分がある、該足のくるぶしから在る程度足を延ばす様な形状を持つっている。足の先は足を支え置く部分より少し高さの形状を持つ。又該椅の腰掛けの後部には背もたれのある部分の途中までの高さと、足の先の足を支え置く部分の上の高さ迄の両端まで結んだ線状まで上下全体に囲む板状幕を張る形状部分を設ける。該形状部分は椅子の両側に設ける。椅子の両側に設けた形状部分によりそこまで液体お湯を張る事が出来る構造である。該椅子式風呂に身体を沈めている図である。
【実施例８】
【００２６】
図８は、本発明の実施例８の機構を示す断面図であって、  図８は、該椅の腰掛けの後部には背もたれのある部分があり、高さがある程度までがある、足を置く部分はある程度足を延ばす様な形状を持つっている。足の先は足を支え置く部分を持つ。
該椅の腰掛けの後部には背もたれのある部分の途中までの高さと、足の先の足を支え置く部分の上の高さ迄の両端まで結んだ線状まで上下全体に幕を張る形状部分とする。該形状部分は椅子の両側に設ける。椅子の両側に設けた形状部分によりそこまで液体お湯を張る事が出来る構造である。該構造は構造、機能等の変化を生じえ、該変化する、リクライニング機能、シーソー機能等を為す、表す時に於いても、該変化する該支点を設けることの構造、形態
として支点箇所の設定をして、安全性、安定を計る椅子風呂とする。該支点を足の先、足の曲がる箇所（くるぶし）、腰掛ける後部に持たせている、よって背頭の方に加重をかけた時、該支点の移動による構造変化機能変化を為すも安全性、安定を計る事が出来る椅子風呂とする。
【実施例９】
【００２７】
図９は、本発明の実施例９の機構を示す断面図であって、  図９は、該椅の腰掛けの後部には背もたれのある部分があり、高さがある程度までがある、足を置く部分はある程度足を延ばす様な形状を持つっている。足の先は足を支え置く部分を持つ。該椅の腰掛けの後部には背もたれのある部分の途中までの高さと、足の先の足を支え置く部分の上の高さ迄の両端まで結んだ線状まで上下全体に幕を張る形状部分とする。該形状部分は椅子の両側に設ける。椅子の両側に設けた形状部分によりそこまで液体お湯を張る事が出来る構造である。背もたれの後部頭側に椅子の支え足を設定、腰掛けの後部側に椅子の支え足を設定、足の先の足を支え置く部分側に椅子の支え足を設定する（計６ヶ所）。背もたれの後部頭側に椅子の支え足を設定する該足の部分に於いて上下（高低）出来る（調整）機能を設定して高さの変化を為す。又足の先の足を支え置く部分側に椅子の支え足を設定する該足の部分を上下出来る機能を設定して高さの変化を為す。（又腰掛けの後部側に椅子の支え足を設定する部分は支点の中心である故に変化しないそのままとする。）故にお湯の浸かる部分（足元側にお湯がたっぷり又は身体側に湯がなみなみ有る等の振り分け、湯の移動機能）の加減をコントロール出来る。背もたれ、脇側の部分にお湯の出口流動部を設けてある。故にお湯の噴き出口（シャワー口）を設けてマッサ−ジ機能とするお湯の流動機能を設けた椅子式風呂である。足元側にお湯の排出口がある。
【実施例１０】
【００２８】
図１０は、本発明の実施例１０の機構を示す断面図であって、背もたれのある椅子に上部に頭もたれがある該突出して設定している部分をもち、該椅子に腰掛ける部分を設定する、該下部に椅子を支える足を持つ、又椅子に腰掛ける部分を持つ該前下の方に人の足を置き支える足置場がある。（本発明の実施例１０に於いては、通常該椅子の両横、前、後ろ、下部、上部は肩位まで高さまでの、該全体を、椅子全体の周りの、囲いを設けて、液体、固体、気体を溜める事が出来る特徴を有する椅子の椅子式風呂を構成する椅子式風呂であるが実施例１０は、該湯を溜める機構を退けた図である。）本図１０の椅子に座る（腰掛ける）（通常の座椅子は平たんな形状をもつ）所に横型に山形溝型を交互に用いた形状を有し、該形状は背もたれのある方に向かって低くなっている、よって椅子の前側の足のくるぶしの方の形状は高くなっているなっている前方高の形状にて、裸の身体で腰掛けた時身体が滑り落ちない体制が保たれて安定する。（お尻に当たる部分の感触を良いもののデザイン形状にする）座椅子の横型に山形溝型を交互に用いた形状は、該溝の部分にお湯が走る様（形状により片側又は両端の端に流れを流す形状も可能）になる。該溝の部分のお湯を受け止める構造を該下部に設ける。該溝の部分のお湯を受け止める機構、構造は、該形状は背もたれのある方に向かって高くなっている、よって椅子の前側前方の足のくるぶしの方は低くなっているなっている形状にて、集められたお湯は椅子の前側前方に流動し集められ前側にある排出口より流出する。又背もたれ及び椅子の足等は折りたたみが出来て、小さくして持ち運びが可能である椅子式風呂である。然るに、前記載該椅子に座る該周隅又は片隅にお湯流れ集める溝を形成構成して、（該平たんに角度を持つ横型に山形溝型を交互に持つ該溝に走るお湯を該溝に合流させる）該周隅又は片隅の溝に集めたお湯を該椅子に座る前部分に流れる様に下流動の角度を持ち流し、更に該お湯を足の元に下流動する形状にて該お湯を捨てる事が出来る構造。又、椅子に座る平たんな所に横型に山形溝型を交互に用いた部分の形状を椅子の後部を低くして前側足元側を高くする形状は腰掛けた時身体が椅子よりずり落ちない様にするため、又身体が後部のもたれ部分に馴染むよう、もたれ掛れるに出来る。
【実施例１１】
【００２９】
図１１は、本発明の実施例１１の機構を示す断面図であって、  図１１は、該椅の腰掛けの後部には背もたれのある部分があり、背もたれの高さは、ある程度まである、又足側には足を置く部分までの、ある程度足を延ばす様な形状の長さを持つっている。足の先は足を支え置く部分を持つ。該椅の腰掛けの後部には背もたれのある部分の途中までの高さと、足の先の足を支え置く部分の上の高さ迄の両端まで結んだ線状まで上下全体に囲い（板、幕）を張る形状部分とする。該形状部分は椅子の両側に設ける。椅子の両側に設けた囲い形状部分によりそこまで液体お湯を張る事が出来る構造である。背もたれの後部頭側の中央に椅子の支え足を設定、（本図においては、１脚であるが、両脇に２脚を設定するも、好い）腰掛けの後部側に椅子の支え足を設定、足の先の足を支え置く部分側に椅子の支え足を設定する。
背もたれの後部頭側に椅子の支え足を設定する該足の部分に於いて上下（高低）出来る（調整）機能を設定して高さの変化を為す。高さの調整機能は足側に関与する背もたせ側と共に
該機能を所持し、該背もたれ側に形状する一つ一つ目ごとに足脚の形状が止まる（止めのギザギザを持たせる）形状にして椅子式風呂が傾斜する構造である。又足の先の足を支え置く部分側に椅子の支え足を設定する該足の部分を上下出来る機能を設定して高さの変化を為す。（上下機能は前記記載の構造も可）（又腰掛けの後部側に椅子の支え足を設定する部分は支点の中心である故に変化しないそのままとする。）故にお湯の浸かる部分（足元側にお湯がたっぷり又は身体側に湯がなみなみ有る等の振り分け、湯の移動機能）の加減をコントロール出来る。背もたれ、脇側の部分にお湯の出口流動部を設けてある。故に流動流出流回する機能のお湯の噴き出口（シャワー口）を設けてマッサ−ジ機能とするお湯の流動機能を設けた椅子式風呂である。足元側にお湯の排出口がある。
【産業上の利用可能性】
【００３０】
本発明は、椅子製造する産業で利用される。
【符号の説明】
【００３１】
１    椅子の腰を掛ける箇所
２    肘付近
３    背もたれ
４    頭部あて部
５    足置場
６    椅子の足
７    椅子囲い張りだし部
８    上下重ね合わせ機能構造の一部分
９    上部形状（板状）
１０  下部形状（板状）
１１  上部形状（板状）と下部形状（板状）の機能時矢印
１２  横部形状を重ね合わせ機能構造の一部分
１３  横部形状（板状）
１４  横部形状（板状）
１５  横部形状（板状）と横部形状（板状）の機能時矢印
１６  板状
１７  ＵＬ機能構造
１８  背もたれ、足場付椅子風呂
１９  支点
２０  シャワー口
２１  囲い
２２  排出口
２３  上下高さ調整機能
２４  山形
２５  溝
２６  該溝の部分のお湯を受け止める機構、構造
【図１】
2017012705.tif 000003
【図２】
2017012705.tif 000004
【図３】
2017012705.tif 000005
【図４】
2017012705.tif 000006
【図５】
2017012705.tif 000007
【図６】
2017012705.tif 000008
【図７】
2017012705.tif 000009
【図８】
2017012705.tif 000010
【図９】
2017012705.tif 000011
【図１０】
2017012705.tif 000012
【図１１】
2017012705.tif 000013